(57)【要約】【課題】ケース本体を樹脂製とし、蓋体をアルミ製として形成すると共に、ケース本体と蓋体の接触面積を小さくしながら、ガタツキのないフィット状態を維持してスムーズなスライド開閉操作を行えるスライド蓋付きケースを提供する。【解決手段】ケース本体２は樹脂材料で一体形成されると共に、蓋体３はアルミ材料で一体形成される。蓋体３は、左右の壁部１２の下端から対向状に折曲されケース本体底部のガイド部２１を被う係合部１３を備えている。係合部は、その先端１３ａが蓋体の内側を向くように設けられ、かつ係合部のスライド方向Ｓの端部から所定長さの位置に蓋体内側に突出する突起部１７が設けられる。ケース本体のガイド部２１には、係合部の先端１３ａと摺接するように蓋体のスライド方向Ｓに沿ってガイドレール２２が設けられると共に、蓋体を施蓋したときに蓋体の突起部１７と係合する隆起部２３が設けられた構成である。【選択図】図９
2008067957.tif 000002
【特許請求の範囲】
【請求項１】
底部(9a)の左右一対に設けた側壁(6,6)と、該側壁(6,6)の両端に設けた壁部(7,8)とによって区成された凹部(9)を有し、該凹部(9)の上を開放して上部開口(10)としたケース本体(2)と、該ケース本体の左右側壁(6,6)に沿ってスライドし前記上部開口(10)を開閉する蓋体(3)から成るスライド蓋付きケースにおいて、
前記ケース本体(2)は樹脂材料で一体形成されると共に、前記底部(9a)の底面左右両縁部にガイド部(21,21)が設けられており、
前記蓋体(3)は、アルミ材料によって一体形成され、前記ケース本体の上部開口(10)を被う平板状の蓋部(11)と、前記蓋部の左右両端から前記ケース本体の左右側壁(6,6)を被うように設けられた壁部(12,12)と、前記壁部(12,12)の下端から対向状に折曲され前記ケース本体の前記ガイド部(21,21)を被う係合部(13,13)とを備えると共に、前記係合部は、その先端(13a,13a)が、基部どうし(13b,13b)を結ぶライン(H)を基準にそれぞれ所定角度θで前記蓋体の内側を向くように設けられ、かつ前記係合部の基部(13b)の近傍位置に蓋体内側に突出する突起部(17)が設けられた構成であり、
前記ケース本体の前記ガイド部(21,21)には、前記係合部の先端(13a,13a)と摺接するように前記蓋体のスライド方向(S)に沿って細幅線状のガイドレール(22,22)が設けられると共に、前記蓋体を施蓋したときに前記突起部(17)と係合する隆起部(23)が設けられた構成であり、
前記蓋体(3)を前記ケース本体(2)にスライドさせて施蓋したとき、前記蓋体の突起部(17)と前記ケース本体の隆起部(23)が互いに係合して前記ケース本体の上部開口(10)を閉塞状態で保持することを特徴とするスライド蓋付きケース。
【請求項２】
前記ケース本体(2)は、底部(9a)の底面中央に、前記係合部(13,13)の先端(13a,13a)どうしの間隔Ｗに略一致する幅で、前記蓋体(3)のスライド方向(S)に沿って設けた凸部(20)を有しており、
前記蓋体(3) を前記ケース本体(2)に沿ってスライドさせるとき、前記係合部(13,13)の先端(13a,13a)と前記凸部(20)の側壁(20a,20a)が互いに接触することを特徴とする請求項１記載のスライド蓋付きケース。
【発明の詳細な説明】
【技術分野】
【０００１】
本発明は、上部開口を有するケース本体に対してスライド可能に蓋体を設けたスライド蓋付きケースに関する。
【背景技術】
【０００２】
従来、携帯用の箸箱等として、上部開口を有するケース本体に対して蓋体をスライド可能に設けたスライド蓋付きケースが公知である（特許文献１）。この種のケースは、ケース本体及び蓋体のそれぞれが合成樹脂製の一体成型品として形成され、それら成型品を互いに組み付けることにより合成樹脂製のスライド蓋付きケースとして構成されているものが多く、しかもケース本体に蓋体のスライド動作を案内する溝を設け、蓋体の一部をその溝に摺動自在に嵌め込むことによって所望のスライド動作を実現したものが一般的である。
【０００３】
【特許文献１】特開２００４−１１３４９４号公報
【発明の開示】
【発明が解決しようとする課題】
【０００４】
ところで、ケース本体から分離可能な蓋体の場合、蓋体を合成樹脂で形成すると落下や衝撃等によって割れることがある。そのため、蓋体は割れることのない材料で形成することが望まれており、その場合の最も有力な材料は、軽量で見栄えが良く、しかも蓋体の肉厚を薄くできるアルミ材料である。
【０００５】
しかしながら、ケース本体を合成樹脂製とする一方、蓋体をケース本体とは異質なアルミ材で形成すると、ケース本体と蓋体の接触面積が大きい場合にはスムーズなスライド操作が行い難くなる。この場合、開閉操作時には比較的大きな力で蓋体をスライドさせることが必要になるが、ケース本体と蓋体が互いに異なった材料であるが故に、蓋体のスライド操作を繰り返すことによってケース本体と蓋体の接合部が次第に摩耗劣化していく。そしてスライド操作時のガタツキが次第に大きくなっていき、開閉時の操作性が更に悪化していくという問題がある。
【０００６】
またケース本体に設けた溝に蓋体の一部を嵌め込んでスライド動作を案内する構成の場合には、溝が劣化してガタツキが大きくなったときにスムーズな開閉操作が難しくなることに加え、溝と蓋体との間に異物が挟まったときには蓋体が溝に固定されてしまい、スライド操作が著しく困難となり、ケース本体の上部開口を開放することができず、ケースに収容した箸を利用できないことがある。
【０００７】
一方、ケース本体と蓋体の接触面積を小さくした場合には、開閉操作のために必要となる力は小さくなるが、初期の段階からスライド操作時のガタツキが大きくなる。そのため、この場合もスムーズなスライド操作が行い難く、操作性が悪いという問題がある。
【０００８】
そこで本発明は、上記課題を解決することを目的としてなされたものであり、ケース本体に対してスライドする蓋体をアルミ材料で形成すると共に、ケース本体と蓋体の接触面積を小さくしながらも、ガタツキのないフィット状態を維持して常にスムーズな開閉操作を行えるようにし、しかも異物等によってスライド操作が困難になることもないスライド蓋付きケースを提供するものである。
【課題を解決するための手段】
【０００９】
上記目的を達成するために、本発明が解決手段として採用したところは、底部(9a)の左右一対に設けた側壁(6,6)と、該側壁(6,6)の両端に設けた壁部(7,8)とによって区成された凹部(9)を有し、該凹部(9)の上を開放して上部開口(10)としたケース本体(2)と、該ケース本体の左右側壁(6,6)に沿ってスライドし前記上部開口(10)を開閉する蓋体(3)から成るスライド蓋付きケースにおいて、前記ケース本体(2)は樹脂材料で一体形成されると共に、前記底部(9a)の底面左右両縁部にガイド部(21,21)が設けられており、前記蓋体(3)は、アルミ材料によって一体形成され、前記ケース本体の上部開口(10)を被う平板状の蓋部(11)と、前記蓋部の左右両端から前記ケース本体の左右側壁(6,6)を被うように設けられた壁部(12,12)と、前記壁部(12,12)の下端から対向状に折曲され前記ケース本体の前記ガイド部(21,21)を被う係合部(13,13)とを備えると共に、前記係合部は、その先端(13a,13a)が、基部どうし(13b,13b)を結ぶライン(H)を基準にそれぞれ所定角度θで前記蓋体の内側を向くように設けられ、かつ前記係合部の基部(13b)の近傍位置に蓋体内側に突出する突起部(17)が設けられた構成であり、前記ケース本体の前記ガイド部(21,21)には、前記係合部の先端(13a,13a)と摺接するように前記蓋体のスライド方向(S)に沿って細幅線状のガイドレール(22,22)が設けられると共に、前記蓋体を施蓋したときに前記突起部(17)と係合する隆起部(23)が設けられた構成であり、前記蓋体(3)を前記ケース本体(2)にスライドさせて施蓋したとき、前記蓋体の突起部(17)と前記ケース本体の隆起部(23)が互いに係合して前記ケース本体の上部開口(10)を閉塞状態で保持するようにした点にある。
【００１０】
上記構成によると、アルミ材料で一体形成された蓋体(3)は、ケース本体(2)を抱き込むようにしてスライドすることにより上部開口(10)を開閉する。このとき、上部開口(10)を覆う蓋部(11)はケース本体の左右側壁(6,6)の開口縁と線状に接触する。また係合部(13,13)の先端(13a,13a)はケース本体底部のガイドレール(22,22)と線状に接触する。したがって、蓋体(3)はケース本体(2)の上部と底部に線状に接触した状態でスライドするので、上下方向にガタツキのないスムーズなスライド操作が実現される。また、蓋体(3)をケース本体(2)にスライドさせて施蓋したときには、蓋体の突起部(17)とケース本体の隆起部(23)が互いに係合しており、蓋体がケース本体から遊動することが防止されているので、ケース本体の上部開口(10)を閉塞した状態を良好に保持できる。
【００１１】
また、より好ましい態様は、前記ケース本体(2)における底部(9a)の底面中央に、前記係合部(13,13)の先端(13a,13a)どうしの間隔Ｗに略一致する幅で、前記蓋体(3)のスライド方向(S)に沿って凸部(20)を設け、前記蓋体(3)
を前記ケース本体(2)に沿ってスライドさせるとき、前記係合部(13,13)の先端(13a,13a)と前記凸部(20)の側壁(20a,20a)が互いに接触する構成である。
【００１２】
この態様によると、互いに対向する係合部の先端(13a,13a)の間にはケース本体(2)の凸部(20)が介在しており、しかも蓋体(3) をケース本体(2)に沿ってスライドさせるときには、係合部の先端(13a,13a)と凸部(20)の側壁(20a,20a)が互いに接触するので、蓋体の上下方向だけでなく、幅方向（左右方向）についてもガタツキの生じないスムーズなスライド操作が実現される。
【発明の効果】
【００１３】
本発明に係るスライド蓋付きケースによれば、ケース本体を樹脂製とし、蓋体をアルミ製としており、互いに異質な材料であるにもかかわらず、ガタツキのないフィット状態を常に維持してスムーズな開閉操作が行える。即ち、本発明の構成によると、蓋体はケース本体の上部と底部でスライド方向に沿って線状にケース本体と接触した状態となり、しかもケース本体を抱き込むようにしてスライド装着されるので、摩擦抵抗は小さく、簡単に開閉操作が行えると共に、ガタツキが小さくなることからスムーズなスライド操作が可能になる。また蓋体をケース本体にスライドさせて施蓋したときには、蓋体の係合部に設けた突起部とケース本体のガイド部に設けた隆起部が互いに係合した状態となるので、蓋体がケース本体から遊動することを防止できる。
【００１４】
またケース本体の底面中央に、係合部の先端どうしの間隔Ｗに略一致する幅で、蓋体のスライド方向に沿って凸部を設け、蓋体を前記ケース本体に沿ってスライドさせるときには、係合部の先端と凸部の側壁が互いに接触する構成の場合、スライド方向に直交する上下方向と幅方向のそれぞれについてガタツキのないフィット状態が実現されるので、よりスムーズな開閉操作が可能になる。
【発明を実施するための最良の形態】
【００１５】
以下図面に基づいて本発明の好ましい実施形態を詳述する。図１乃至図６はスライド蓋付きケース１を示している。本実施形態では、箸を収容して携帯するためのスライド蓋付きケース１を例示する。このケース１は、図１に示す如く、合成樹脂材料で一体成形されたケース本体２と、略リップ溝形に押出成形されたアルミ押出成形材を所定長さで切断して得られる蓋体３とを備えている。
【００１６】
ケース本体２は、箸を収容する収容部４と、その収容部４の長手方向一端側に設けられた環状の把手部５とを有している。収容部４は、底部９ａと、その底部９ａの左右一対に設けた側壁６，６と、その左右側壁６，６の長手方向両端に設けた壁部７，８とによって区成された凹部９を有し、その上部を開放して上部開口１０としている。また左右の側壁６，６には、収容部４の凹部９に収容された箸等の収容物を取り出しやすくするための凹陥部６ａ，６ａが左右一対に設けられている。
【００１７】
蓋体３は、ケース本体２の収容部４の長さと略一致する長さに切断されており、ケース本体２の上部開口１０を被う平板状の蓋部１１と、その蓋部１１の左右両端からケース本体２の左右側壁６，６を被うように折曲して設けられた壁部１２，１２と、それら壁部１２，１２の下端から蓋体３の内側に向けて更に折曲して設けられた係合部１３，１３を備えた構成である。そしてケース本体２の壁部８を蓋体３の端部３ａ（若しくは３ｂ）から蓋体内側に挿入することにより、蓋体３はケース本体２の収容部４を抱き込むようにしてスライド方向Ｓに沿ってスライドしていく。このとき、蓋体３の蓋部１１はケース本体２の左右側壁６，６の上端ラインに線接触した状態でスライドすると共に、蓋体３の左右壁部１２，１２はケース本体２の左右側壁６，６に近接した状態でスライドする。そして最終的に、図２に示す如く蓋体３の端部３ａがケース本体２の壁部７に当接して上部開口１０が閉塞される。
【００１８】
図３は施蓋した状態のスライド蓋付きケース１の平面図であり、図４はその底面図、図５はその右側面図、図６（ａ）はその背面図であり、図６（ｂ）はその正面図である。尚、左側面図は右側面図と対象に現れる。蓋体３は、ケース本体２の上部開口１０を被うと共に、左右側壁６，６も被うことにより、上部開口１０だけでなく、左右側壁６，６に設けた凹陥部６ａ，６ａも同時に閉塞する。このとき、蓋体３の係合部１３，１３は、ケース本体２の底面の左右両側に係合するので、ケース本体２の収容部４は底面の中央部分を除いて周囲が蓋体３に包囲された状態となる。そして蓋体３はケース本体２に対して溝によってスライド動作が案内される形態ではないので、異物の混入などによってスライド操作が困難になることはない。
【００１９】
図７は蓋体３の底面側の構成を示す図であり、（ａ）は蓋体３を底面側からみた斜視図、（ｂ）はスライド方向Ｓに直交する面で切断した断面図である。蓋体３の底面側に対向状に折曲して設けられる左右一対の係合部１３，１３には、スライド方向Ｓの両端部３ａ，３ｂからそれぞれ所定長さＬの位置に蓋体３の内側に向けて突出する突起部１７が設けられる。また左右方向に関して、突起部１７は、係合部１３，１３の先端１３ａ，１３ａから離れた基部１３ｂ，１３ｂの近傍位置に設けられる。この突起部１７は、例えば係合部１３の外側表面をポンチ等で打刻して陥入させると共に、内面側に突起させることにより形成される。尚、スライド方向Ｓに関して２つの突起部１７，１７は所定の間隔Ｄで設けられている。また図７（ｂ）に示すように、左右の係合部１３，１３の基部１３ｂ，１３ｂどうしを結ぶラインＨを基準としたとき、係合部１３，１３の先端１３ａ，１３ａは所定角度θで蓋体３の内側に向くように折曲した状態となっている。尚、係合部１３，１３の先端１３ａ，１３ａの間隔はＷである。
【００２０】
図８はケース本体２の底面側の構成を示す図であり、（ａ）はその全体を示す斜視図、（ｂ）は（ａ）の一部Ｐを拡大した図である。ケース本体２の底部９ａの底面側中央には、スライド方向Ｓに沿って設けた断面椀型の凸部２０が設けられる。この凸部２０の左右方向の幅は、蓋体３の係合部の先端１３ａ，１３ａの間隔Ｗとほぼ等しくなるように設けられ、蓋体３をスライド装着したときに係合部１３の先端１３ａが凸部２０の側壁２０ａに当接して蓋体３の左右方向へのガタツキを防止する。この凸部２０の左右両側には、蓋体３の係合部１３に被われるガイド部２１，２１が設けられている。ガイド部２１には、スライド方向Ｓに沿って延びる細幅線状のガイドレール２２が凸部２０の側壁２０ａに近接して突条に設けられている。またガイドレール２２の外側には、ケース本体２の壁部７から所定距離（Ｌ＋α）と（Ｌ＋α＋Ｄ）の２箇所の位置にスライド方向Ｓと直交する方向に延びる隆起部２３，２３が左右一対に設けられている。尚、αの値は、係合部１３に形成した突起部１７の半径ないし直径程度であることが好ましい。
【００２１】
図９は蓋体３をケース本体２にスライド装着したときの断面図である。上述のように係合部１３の先端１３ａは基部１３ｂよりも蓋体３の内側に位置するので、蓋体３をケース本体２に対してスライドさせるとき、係合部１３はガイド部２１及び隆起部２３に接触せず、先端１３ａだけがケース本体２のガイド部２１に設けたガイドレール２２に対してスライド方向に沿って線状に接触する。また係合部１３の先端１３ａと凸部２０の側壁２０ａとの接触形態も、スライド方向に沿った線状の接触となる。更にまた、蓋体３の蓋部１１はケース本体２の左右側壁６，６の先端と線状に接触する。したがって、スライド操作時には、ケース本体２と蓋体３は互いに複数箇所で線状に接触するだけであるので、接触面積は極めて小さく、開閉操作のために必要な力も小さくなる。また蓋体３はケース本体２を抱き込むようにしてフィット状態を維持しながらスライドするので、スライド操作時のガタツキはなく、常にスムーズな開閉操作が可能である。即ち、係合部１３の先端１３ａとガイドレール２２の接触並びに蓋部１１と左右側壁６，６の先端の接触により上下方向のガタツキが防止され、対向する係合部１３の先端１３ａ，１３ａと凸部２０の側壁２０ａ，２０ａの接触により幅方向（左右方向）のガタツキが防止される。
【００２２】
そして蓋体３の端部３ａがケース本体２の壁部７に当接すると、蓋体３の係合部１３に設けた突起部１７は、図１０に示すように、ケース本体２のガイド部２１に設けた隆起部２３を乗り越えた位置となり、突起部１７と隆起部２３は互いに係合して蓋体３がケース本体２からスライド方向に遊動することを防止する。即ち、ケース本体２と蓋体３は、上述のように比較的小さな力であってもケース本体２に対して蓋体３がスライドする構成であるので、蓋体３がケース本体２の上部開口１０を閉塞した状態から不意にスライドして上部開口１０を開放することがないように、蓋体３の突起部１７とケース本体２の隆起部２３を互いに係合させてストッパ手段として機能するように構成しており、蓋体３はケース本体２の上部開口１０を閉塞した状態で保持される。
【００２３】
尚、蓋体３は端部３ａからケース本体２が挿入される場合を例示したが、反対側の端部３ｂからケース本体２を挿入することもでき、この場合であっても上述と同様の作用が得られる。
【００２４】
以上のように、スライド蓋付きケース１は、ケース本体２が樹脂製であり、蓋体３がケース本体２とは異なる材料のアルミ製であるにもかかわらず、互いの接触面積が極めて小さくなっているのでスライド操作時の摩擦抵抗は小さく、容易に開閉操作が行える。また蓋体３はケース本体２を抱き込むようにしてスライドするのでスライド操作時のガタツキは極めて小さく、常にスムーズな開閉操作が可能である。そして蓋体３をケース本体２にスライド装着して上部開口１０を閉塞したときには、蓋体３の係合部１３に設けた突起部１７と、ケース本体２のガイド部２１に設けた隆起部２３が互いに係合した状態となるので、蓋体３がケース本体２から遊動することを防止でき、例えば本ケース１を鞄に入れて携帯しているときに振動等が生じても、蓋体３はケース本体２の施蓋状態を持続する。
【００２５】
尚、本実施形態では、箸を収容して携帯するためのスライド蓋付きケース１を例示したが、本発明が適用可能なケースはこれに限られるものではなく、スプーンやフォーク、ナイフ等の食事用具を収納するケースであっても良いし、それらのうちから任意に選択した複数本の食事用具を収納するケースであっても良い。また、食事用具以外の品を収納するケースとしても実現できることは勿論である。
【図面の簡単な説明】
【００２６】
【図１】ケース本体と蓋体を分離した状態を示すスライド蓋付きケースの斜視図である。
【図２】蓋体をケース本体にスライド装着して施蓋した状態におけるスライド蓋付きケースの斜視図である。
【図３】蓋体をケース本体にスライド装着して施蓋した状態におけるスライド蓋付きケースの平面図である。
【図４】蓋体をケース本体にスライド装着して施蓋した状態におけるスライド蓋付きケースの底面図である。
【図５】蓋体をケース本体にスライド装着して施蓋した状態におけるスライド蓋付きケースの右側面図である。
【図６】蓋体をケース本体にスライド装着して施蓋した状態を示す図であり、（ａ）はその背面図であり、（ｂ）はその正面図である。
【図７】蓋体を示す図であり、（ａ）は蓋体を底面側からみた斜視図であり、（ｂ）はその断面図である。
【図８】ケース本体を示す図であり、（ａ）はケース本体を底面側からみた全体の斜視図であり、（ｂ）は（ａ）の一部Ｐを拡大した斜視図である。
【図９】蓋体をケース本体にスライド装着したときの断面図である。
【図１０】蓋体をケース本体に施蓋したときのスライド蓋付きケースの底面側を示す図であり、蓋体の係合部に設けた突起部と、ケース本体のガイド部に設けた隆起部とが互いに係合した状態を示す図である。
【符号の説明】
【００２７】
１  スライド蓋付きケース
２  ケース本体
３  蓋体
６  側壁
７，８  壁部
１０  上部開口
１１  蓋部
１２  壁部
１３  係合部
１７  突起部
２１  ガイド部
２２  ガイドレール
２３  隆起部
Ｓ  スライド方向
【図１】
2008067957.tif 000003
【図２】
2008067957.tif 000004
【図３】
2008067957.tif 000005
【図４】
2008067957.tif 000006
【図５】
2008067957.tif 000007
【図６】
2008067957.tif 000008
【図７】
2008067957.tif 000009
【図８】
2008067957.tif 000010
【図９】
2008067957.tif 000011
【図１０】
2008067957.tif 000012